(57)【要約】【課題】  機能リソースが枯渇した場合であっても、機能リソース数を拡張することを可能にすること。【解決手段】  複数のインタフェースカード(１１〜１３)と、スイッチカード(１４)と、複数の機能カード(１６〜１８)と、前記複数のインタフェースカード、前記スイッチカード、および前記複数の機能カードを制御する制御カード(１９)と、を備えた通信装置（１）は、ネットワーク（３）を介して接続された異なる通信装置（２）に設置された機能カード（２６〜２８）上の機能リソースを使用できるようにする機能を有するリソース拡張機能カード(１５)を含む。【選択図】  図２
2012142705.tif 000002
【特許請求の範囲】
【請求項１】
複数のインタフェースカードと、スイッチカードと、複数の機能カードと、前記複数のインタフェースカード、前記スイッチカード、および前記複数の機能カードを制御する制御カードと、を備えた通信装置において、
ネットワークを介して接続された異なる通信装置に設置された機能カード上の機能リソースを使用できるようにする機能を持つリソース拡張機能カードを有する、ことを特徴とする通信装置。
【請求項２】
リソース取得要因が発生して、当該通信装置に機能リソースが無い場合、
前記制御カードは、前記リソース拡張機能カードに対して拡張機能リソースの取得設定を行い、
前記リソース拡張機能カードは、前記異なる通信装置が具備するリソース拡張機能カードに対して、拡張機能リソースの取得設定を行い、
前記異なる通信装置のリソース拡張機能カードから拡張機能リソースの取得結果の応答があった場合、
当該通信装置の前記リソース拡張機能カードは、前記制御カードに拡張機能リソースの取得結果を応答する、
請求項１に記載の通信装置。
【請求項３】
リソース解放要因が発生して、解放すべき機能リソースが前記異なる通信装置内部に有する拡張機能リソースであった場合、
前記制御カードは、前記リソース拡張機能カードに対して拡張機能リソースの解放設定を行い、
前記リソース拡張機能カードは、前記異なる通信装置のリソース拡張機能カードに対して、拡張機能リソースの解消処理を行い、
前記異なる通信装置のリソース拡張機能カードから拡張機能リソースの解放結果の応答があった場合、
当該通信装置の前記リソース拡張機能カードは、前記制御カードに拡張機能リソースの解放結果を応答する、
請求項２に記載の通信装置。
【請求項４】
第１の通信装置と第２の通信装置とがネットワークを介して接続された通信システムにおけるリソース拡張方法であって、
前記第１の通信装置が、当該第１の通信装置内で通信を処理するための機能リソースが足りないと判断した場合、前記ネットワークを介して前記第２の通信装置の機能リソースを使用することを特徴とする、通信システムのリソース拡張方法。
【請求項５】
前記第１の通信装置が、拡張機能リソースの取得処理を行うステップと、
前記第１の通信装置が、前記ネットワークを介して前記第２の通信装置に拡張機能リソースの取得設定を行うステップと、
前記第２の通信装置が、拡張機能リソースの受付処理を行うステップと、
前記第２の通信装置が、拡張機能リソースの取得処理を実施するステップと、
前記第２の通信装置が、前記ネットワークを介して第１の通信装置に対し、拡張機能リソースの取得結果を応答するステップと、
前記第１の通信装置が、前記拡張機能リソースの取得結果に応答して、リソース取得を完了するステップと、
を含む、請求項４に記載の通信システムのリソース拡張方法。
【請求項６】
前記第１の通信装置が、拡張機能リソースの解放処理を実施するステップと、
前記第１の通信装置が、前記ネットワークを介して前記第２の通信装置に対して、拡張機能リソースの解放処理を行うステップと、
前記第２の通信装置が、前記拡張機能リソースの解放処理を受け付けるステップと、
前記第２の通信装置が、拡張機能リソースの解放処理を実施するステップと、
前記第２の通信装置が、前記ネットワークを介して前記第１の通信装置に拡張機能リソースの解放結果を応答するステップと、
前記第１の通信装置が、前記拡張機能リソースの解放結果に応答して、リソース解放を完了するステップと、
を含む、請求項５に記載の通信システムのリソース拡張方法。
【請求項７】
第１の通信装置と、第２の通信装置と、前記第１の通信装置と前記第２の通信装置とを接続するネットワークと、を備える通信システムにおいて、
前記第１の通信装置は、
複数の第１のインタフェースカードと、
第１のスイッチカードと、
複数の第１の機能カードと、
前記複数の第１のインタフェースカード、前記第１のスイッチカード、および前記複数の第１の機能カードを制御する第１の制御カードと、
前記ネットワークを介して接続された前記第２の通信装置に設置された機能カード上の機能リソースを使用できるようにする機能を持つ第１のリソース拡張機能カードと、
を備え、
前記第２の通信装置は、
複数の第２のインタフェースカードと、
第２のスイッチカードと、
複数の第２の機能カードと、
前記複数の第２のインタフェースカード、前記第２のスイッチカード、および前記複数の第２の機能カードを制御する第２の制御カードと、
前記ネットワークを介して接続された前記第１の通信装置に設置された機能カード上の機能リソースを使用できるようにする機能を持つ第２のリソース拡張機能カードと、
を備えることを特徴とする通信システム。
【請求項８】
前記第１の通信装置内でリソース取得要因が発生して、当該第１の通信装置に機能リソースが無い場合、
前記第１の制御カードは、前記第１のリソース拡張機能カードに対して拡張機能リソースの取得設定を行い、
前記第１のリソース拡張機能カードは、前記ネットワークを介して前記第２のリソース拡張機能カードに対して、拡張機能リソースの取得設定を行い、
前記第２のリソース拡張機能カードは、拡張機能リソースの受付処理を行い、
前記第２のリソース拡張機能カードは、前記第２の制御カードに対して、拡張機能リソースの取得要求を行い、
前記第２の制御カードは、拡張機能リソースとして当該第２の通信装置が有する機能リソースが使用できる場合、拡張機能リソースの取得処理を実施し、
前記第２の制御カードは、拡張機能リソースの取得が完了後に、前記第２のリソース拡張機能カードに対して、拡張機能リソースの取得応答を行い、
前記第２のリソース拡張機能カードは、前記ネットワークを介して前記第１のリソース拡張機能カードに対して、拡張機能リソースの取得結果を応答し、
前記第１のリソース拡張機能カードは、前記第１の制御カードに拡張機能リソースの取得結果を応答する、
請求項７に記載の通信システム。
【請求項９】
前記第１の通信装置内でリソース解放要因が発生して、解放すべき機能リソースが前記第２の通信装置内部に有する拡張機能リソースであった場合、
前記第１の制御カードは、前記第１のリソース拡張機能カードに対して拡張機能リソースの解放設定を行い、
前記第１のリソース拡張機能カードは、前記ネットワークを介して前記第２のリソース拡張機能カードに対して、拡張機能リソースの解放処理を行い、
前記第２のリソース拡張機能カードが、前記拡張機能リソースの解放処理を受け付け、
前記第２のリソース拡張機能カードは、前記第２の制御カードに対して、拡張機能リソースの解放要求を行い、
前記第２の制御カードは、拡張機能リソースの解放処理を実施し、
前記第２の制御カードは、拡張機能リソースの解放が完了後に、前記第２のリソース拡張機能カードに対して、拡張機能リソースの解放応答を行い、
前記第２のリソース拡張機能カードは、前記ネットワークを介して前記第１のリソース拡張機能カードに対して、拡張機能リソースの解放結果を応答し、
前記第１のリソース拡張機能カードは、前記第１の制御カードに拡張機能リソースの解放結果を応答する、
請求項８に記載の通信システム。
【発明の詳細な説明】
【技術分野】
【０００１】
本発明は、通信装置に関し、特に、リソース数を拡張する方法に関する。
【背景技術】
【０００２】
従来、通信装置では、複数のインタフェースカードが有する有限の回線リソースと、複数の機能カードが有する有限の機能リソースと、をスイッチカードによって接続することにより、任意のカード及び呼の処理を行っている。
【０００３】
本発明と関連する先行技術文献が知られている。
【０００４】
例えば、特許文献１は、無線機器が無線通信装置の空きリソースを利用して外部無線通信装置と通信できるようにした「無線通信システムおよび無線通信方法」を開示している。この特許文献１に開示された無線通信システムは、無線機器と無線通信装置とを有する。無線機器は、パーソナルエリアネットワークまたは小規模無線通信ネットワークにより通信を行う。無線通信装置は、パーソナルエリアネットワークまたは小規模無線通信ネットワークにより無線機器と通信可能であり、かつ外部ネットワークにより通信するための複数の無線通信用ハードウェアリソースを備えている。無線機器が、無線通信装置の空きリソースを利用して外部無線通信装置と通信する。無線通信装置は、空きリソース情報を生成し、その空きリソース情報を無線機器に送信する。
【先行技術文献】
【特許文献】
【０００５】
【特許文献１】特開２００８−２４４９７４号公報（［００２０］〜［００２２］、図１、図２）
【発明の概要】
【発明が解決しようとする課題】
【０００６】
従来の通信装置において、回線リソース数と機能リソース数とが同数であれば良いが、回線リソースに比べて、機能リソースを実現するためには物理的に多数のカードを通信装置に搭載する必要がある。しかしながら、通信装置に搭載できるカード数には限りがあることなどから、回線リソース数に比べて、機能リソース数が少ない場合がある。
【０００７】
このため、通信装置が扱う任意の回線及び呼の設定数が増加した場合、回線リソースよりも先に機能リソースが枯渇することになる。この場合、任意の回線及び呼の処理ができなくなるという課題がある。
【０００８】
尚、特許文献１では、無線機器が、外部無線通信装置と通信するために、その中継装置である無線通信装置から空きリソースを借用しているに過ぎない。
【０００９】
本発明の目的は、機能リソースが枯渇した場合であっても、機能リソース数を拡張することを可能にする、通信装置、通信システム、およびそのリソース拡張方法を提供することにある。
【課題を解決するための手段】
【００１０】
本発明では、こうした課題に鑑み、通信装置にリソース拡張機能カードを搭載し、リソース拡張機能カードを異なる通信装置と接続することで、機能リソースが枯渇した場合であっても、異なる通信装置の機能リソースを使用することで通信装置が従来有していた機能リソース数を拡張することを可能としている。
【００１１】
すなわち、本発明の通信装置は、複数のインタフェースカードと、スイッチカードと、複数の機能カードと、複数のインタフェースカード、スイッチカード、および複数の機能カードを制御する制御カードと、を備えた通信装置であって、ネットワークを介して接続された異なる通信装置に設置された機能カード上の機能リソースを使用できるようにする機能を持つリソース拡張機能カードを有する、ことを特徴とする。
【００１２】
本発明のリソース拡張方法は、第１の通信装置と第２の通信装置とがネットワークを介して接続された通信システムにおけるリソース拡張方法であって、第１の通信装置が、当該第１の通信装置内で通信を処理するための機能リソースが足りないと判断した場合、ネットワークを介して第２の通信装置の機能リソースを使用することを特徴とする。
【００１３】
本発明の通信システムは、第１の通信装置と、第２の通信装置と、第１の通信装置と第２の通信装置とを接続するネットワークと、を備える通信システムであって、第１の通信装置は、複数の第１のインタフェースカードと、第１のスイッチカードと、複数の第１の機能カードと、複数の第１のインタフェースカード、第１のスイッチカード、および複数の第１の機能カードを制御する第１の制御カードと、ネットワークを介して接続された第２の通信装置に設置された機能カード上の機能リソースを使用できるようにする機能を持つ第１のリソース拡張機能カードと、を備え、第２の通信装置は、複数の第２のインタフェースカードと、第２のスイッチカードと、複数の第２の機能カードと、複数の第２のインタフェースカード、第２のスイッチカード、および複数の第２の機能カードを制御する第２の制御カードと、ネットワークを介して接続された第１の通信装置に設置された機能カード上の機能リソースを使用できるようにする機能を持つ第２のリソース拡張機能カードと、を備えることを特徴とする。
【発明の効果】
【００１４】
本発明に係る通信装置は、当該通信装置内で使用できる機能リソースが枯渇した場合にも、機能カードを増やすことなく、一つの通信装置内で使用できる機能リソース数を拡張できる。
【図面の簡単な説明】
【００１５】
【図１】本発明の第１の実施例による通信装置の構成を示すブロック図である。
【図２】本発明の第１の実施例に係る通信システムの構成を示すブロック図である。
【図３】図２に示した通信システムにおいて、第１および第２の通信装置に於けるリソース拡張機能カードによって、第１の通信装置で処理する回線や呼を取得する際の、主に第１の通信装置内部の動作を示すシーケンス図である。
【図４】図２に示した通信システムにおいて、第１および第２の通信装置に於けるリソース拡張機能カードによって、第１の通信装置で処理する回線や呼を取得する際の、主に第２の通信装置内部の動作を示すシーケンス図である。
【図５】図２に示した通信システムにおいて、第１および第２の通信装置に於けるリソース拡張機能カードによって、第１の通信装置で処理する回線や呼を解放する際の、主に第１の通信装置内部の動作を示すシーケンス図である。
【図６】図２に示した通信システムにおいて、第１および第２の通信装置に於けるリソース拡張機能カードによって、第１の通信装置で処理する回線や呼を解放する際の、主に第２の通信装置内部の動作を示すシーケンス図である。
【図７】本発明と関連する通信装置の構成を示すブロック図である。
【発明を実施するための形態】
【００１６】
本発明の理解を容易にするために、図７を参照して、本発明と関連する通信装置１’について説明する。
【００１７】
図７において、関連する通信装置１’は、第１乃至第３のインタフェースカード１１、１２、１３と、スイッチカード１４と、第１乃至第３の機能カード１６、１７、１８と、制御カード１９とを備える。図示の例では、インタフェースカードおよび機能カードの各々の個数が３であるが、これに限定されないのは勿論である。
【００１８】
尚、「カード」は、ユニット、装置、或いは手段と読み替え得る。
【００１９】
第１乃至第３のインタフェースカード１１、１２、１３は、それぞれ、第１乃至第３のインタフェース１１０、１２０、１３０に接続されている。
【００２０】
第１乃至第３のインタフェースカード１１、１２、１３は、外部の別の通信装置との通信回線を接続するためのインタフェース処理を行うカードである。第１乃至第３のインタフェースカード１１、１２、１３は、それぞれ、外部装置との第１乃至第３のインタフェース１１０、１２０、１３０を介して外部通信装置と物理的に接続され、通信装置１’内部で後述するスイッチカード１４と物理的に接続される。
【００２１】
スイッチカード１４は、前述した第１乃至第３のインタフェースカード１１、１２、１３及び第１乃至第３の機能カード１６、１７、１８と物理的に接続される。スイッチカード１４は、インタフェースカードが有する回線リソースと、機能カードが有する機能リソースと、を論理的に接続する機能を有する。
【００２２】
第１乃至第３の機能カード１６、１７、１８は、通信装置１’で処理する回線や呼の機能を実現するカードである。第１乃至第３の機能カード１６、１７、１８は、前述したスイッチカード１４と物理的に接続される。
【００２３】
制御カード１９は、通信装置１全体の制御を司るカードである。制御カード１９は、第１乃至第３のインタフェースカード１１、１２、１３、スイッチカード１４、第１乃至第３の機能カード１６、１７、１８に対して、回線や呼の設定や解放処理などを行うために、全カードと物理的な接続を有する。但し、図７では前記接続の記載を省略している。
【００２４】
関連する通信装置１’においては、次のような課題がある。
【００２５】
すなわち、通信装置１’内部に有する回線リソース数と、機能リソース数とが同数であれば良いが、回線リソースに比べて、機能リソースを実現するためには物理的に多数のカードを通信装置１’に搭載する必要がある。しかしながら、通信装置１’に搭載できるカード数には限りがあることなどから、回線リソース数に比べて、機能リソース数が少ない場合がある。このため、通信装置１’が扱う任意の回線及び呼の設定数が増加した場合、回線リソースよりも先に機能リソースが枯渇することになる。この場合、任意の回線及び呼が設定不可となってしまう。
【００２６】
本発明の目的は、通信装置にリソース拡張機能カードを搭載し、リソース拡張機能カードを異なる通信装置と接続することで、機能リソースが枯渇した場合であっても、異なる通信装置の機能リソースを使用することで、通信装置が本来有していた機能リソース数を拡張することを可能にすることである。
【００２７】
次に、本発明の特徴について説明する。
【００２８】
本発明は、複数の機能カードを搭載する通信装置において、機能カードで処理可能な機能リソース数が枯渇しても、別の（異なる）通信装置に搭載する機能カード上のリソースを使用することで、通信装置のリソース数を拡張できるようにしたことを特徴としている。
【００２９】
このようにして、本発明では、機能リソースが枯渇している場合にも、通信装置が新たに搭載するリソース拡張機能カードによってリソース設定ができるので、通信装置が本来有する機能リソース数を拡張することができる。
【実施例１】
【００３０】
図１を参照して、本発明の第１の実施例による通信装置１について説明する。図示の通信装置１は、リソース拡張機能カード１５を更に備えている点を除いて、図７に示した関連する通信装置１’と同様の構成を有し、動作をする。
【００３１】
図１において、通信装置１は、第１乃至第３のインタフェースカード１１、１２、１３と、スイッチカード１４と、リソース拡張機能カード１５と、第１乃至第３の機能カード１６、１７、１８と、制御カード１９とを備える。図示の例では、インタフェースカードおよび機能カードの各々の個数が３であるが、これに限定されないのは勿論である。
【００３２】
尚、「カード」は、ユニットや装置、或いは手段とも読み替え得る。
【００３３】
第１乃至第３のインタフェースカード１１、１２、１３には、それぞれ、第１乃至第３のインタフェース１１０、１２０、１３０が接続されている。リソース拡張機能カード１５には、インタフェース１５０が接続されている。
【００３４】
第１乃至第３のインタフェースカード１１、１２、１３の各々は、外部の別の通信装置との通信回線を接続するためのインタフェース処理を行うカードである。第１乃至第３のインタフェースカード１１、１２、１３は、それぞれ、外部装置との第１乃至第３のインタフェース１１０、１２０、１３０を介して外部通信装置と物理的に接続される。第１乃至第３のインタフェースカード１１、１２、１３は、通信装置１内部で後述するスイッチカード１４と物理的に接続される。
【００３５】
スイッチカード１４は、前述した第１乃至第３のインタフェースカード１１、１２、１３及び後述するリソース拡張機能カード１５、及び第１乃至第３の機能カード１６、１７、１８と物理的に接続される。スイッチカード１４は、インタフェースカード１１〜１３が有する回線リソースと、機能カード１６〜１８が有する機能リソースを論理的に接続する機能を有する。
【００３６】
リソース拡張機能カード１５は、前述したスイッチカード１４と物理的に接続され、外部装置とのインタフェース１５０を介して外部通信装置と物理的に接続される。
【００３７】
第１乃至第３の機能カード１６、１７、１８は、通信装置１で処理する回線や呼の機能を実現するカードである。第１乃至第３の機能カード１６、１７、１８は、前述したスイッチカード１４と物理的に接続される。
【００３８】
制御カード１９は、通信装置１全体の制御を司るカードである。制御カード１９は、第１乃至第３のインタフェースカード１１、１２、１３、スイッチカード１４、リソース拡張機能カード１５、第１乃至第３の機能カード１６、１７、１８に対して回線や呼の設定や解放処理などを行うために、全カードと物理的な接続を有する。但し、図１では前記接続の記載を省略している。
【００３９】
通信装置１において、任意の回線及び呼の処理を開始する際には、制御カード１９の指示により、第１乃至第３のインタフェースカード１１、１２、１３が有する複数の回線リソースの中から任意の回線リソースを設定し、第１乃至第３の機能カード１６、１７、１８が有する複数の機能リソースの中から任意の機能リソースを設定し、スイッチカード１４に対して、前述した回線リソースと機能リソースとを接続する設定を行う。
【００４０】
ここで、第１乃至第３の機能カード１６、１７、１８が有する機能リソースが枯渇した場合にも、制御カード１９がリソース拡張用機能カード１５に対して機能リソースを設定することで、回線及び呼を設定する。
【００４１】
次に、図２を参照して、本発明の第１の実施例に係る通信システムについて説明する。図示の通信システムは、本発明の第１の実施例としての通信装置１が同じく本発明の第１の実施例としての通信装置２と、ネットワーク３を介して接続されている。ここでは、通信装置１を第１の通信装置と呼び、通信装置２を第２の通信装置と呼ぶことにする。
【００４２】
第２の通信装置２は、第１乃至第３のインタフェースカード２１、２２、２３と、スイッチカード２４と、リソース拡張機能カード２５と、第１乃至第３の機能カード２６、２７、２８と、制御カード２９とを備える。図示の例では、インタフェースカードおよび機能カードの各々の個数が３であるが、これに限定されないのは勿論である。
【００４３】
第１乃至第３のインタフェースカード２１、２２、２３には、それぞれ、第１乃至第３のインタフェース２１０、２２０、２３０が接続されている。リソース拡張機能カード２５には、インタフェース２５０が接続されている。
【００４４】
これらカード２１〜２９の機能は、それぞれ、図１に示したカード１１〜１９と同様であるので、説明の簡略化のためにそれらの説明については省略する。
【００４５】
尚、第１の通信装置１において、第１乃至第３のインタフェースカード１１、１２、１３は、纏めて、複数の第１のインタフェースカードとも呼ばれ、スイッチカード１４は第１のスイッチカードとも呼ばれ、リソース拡張機能カード１５は第１のリソース拡張機能カードとも呼ばれ、第１乃至第３の機能カード１６、１７、１８は、纏めて、複数の第１の機能カードとも呼ばれ、制御カード１９は第１の制御カードとも呼ばれる。
【００４６】
同様に、第２の通信装置において、第１乃至第３のインタフェースカード２１、２２、２３は、纏めて、複数の第２のインタフェースカードとも呼ばれ、スイッチカード２４は第２のスイッチカードとも呼ばれ、リソース拡張機能カード２５は第２のリソース拡張機能カードとも呼ばれ、第１乃至第３の機能カード２６、２７、２８は、纏めて、複数の第２の機能カードとも呼ばれ、制御カード２９は第２の制御カードとも呼ばれる。
【００４７】
本発明の第１の実施例では、第１の通信装置１が有する機能リソースが枯渇した場合に、第１の通信装置１の第１のリソース拡張機能カード１５がインタフェース１５０、ネットワーク３、インタフェース２５０を介して第２の通信装置２の第２のリソース拡張機能カード２５と通信することで、第２の通信装置２が有する機能リソースを使用することで、第１の通信装置１で処理する回線や呼を実現することができる。
【００４８】
次に、図３乃至図６を参照して、本発明の第１の実施例の動作について説明する。
【００４９】
図３および図４は、図２の第１および第２の通信装置１および２に於けるリソース拡張機能カード１５、２５によって、第１の通信装置１で処理する回線や呼を取得する動作を示すシーケンス図である。図５および図６は、図２の第１および第２の通信装置１および２に於けるリソース拡張機能カード１５、２５によって、第１の通信装置１で処理する回線や呼を解放する動作を示すシーケンス図である。
【００５０】
先ず、回線や呼の取得動作について、図３では主に第１の通信装置１内部の動作を、図４では主に第２の通信装置２内部の動作を説明する。
【００５１】
図３において、第１の通信装置１にリソース取得要因が発生したとする（ステップ１００１)。この場合、第１の制御カード１９は第１のインタフェースカード１１に対して回線リソースの取得設定を行い（ステップ１００２)、第１のインタフェースカード１１は回線リソースの取得結果を応答する(ステップ１００３)。
【００５２】
同様に、第１の制御カード１９は、第１のスイッチカード１４に対して前述した回線リソースと後で取得する機能リソースとを接続する設定を行い(ステップ１００４)、第１のスイッチカード１４は接続設定結果を応答する(ステップ１００５)。
【００５３】
次に、第１の制御カード１９は、第１の通信装置１が有する機能リソースのうち、使用可能な機能リソースが残っているかどうかを確認する(ステップ１００６、１００７)。機能リソースがある場合(ステップ１００８)、第１の制御カード１９は、第１の通信装置１内で通常の機能リソース取得処理を実施する(ステップ１００９)。
【００５４】
第１の制御カード１９は、第１の機能カード１６に対して機能リソースの取得設定を行い(ステップ１０１０)、第１の機能カード１６は機能リソースの取得結果を応答し(ステップ１０１１)、リソース取得が完了する(ステップ１０３１)。
【００５５】
ステップ１００７にて機能リソースが無い場合(ステップ１０１２)、第１の制御カード１９は、第１の通信装置１の外部装置の機能リソース取得処理である拡張機能リソースの取得処理を実施する(ステップ１０１３)。第１の制御カード１９は第１のリソース拡張機能カード１５に対して拡張機能リソースの取得設定を行い(ステップ１０１４)、第１のリソース拡張機能カード１５は拡張機能リソースの取得処理を行う(ステップ１０１５)。第１のリソース拡張機能カード１５は、ネットワーク３を介して、外部の第２の通信装置２が具備する第２のリソース拡張機能カード２５に対して、拡張機能リソースの取得設定を行う(ステップ１０１６)。
【００５６】
図４に移って、第２の通信装置２内部の第２のリソース拡張機能カード２５にて拡張機能リソースの受付処理を行い(ステップ１０１７)、第２のリソース拡張機能カード２５は、第２の制御カード２９に対して、拡張機能リソースの取得要求を行う(ステップ１０１８)。第２の制御カード２９では、拡張機能リソースとして第２の通信装置２が有する機能リソースが使用できるかどうかを確認する(ステップ１０１９)。リソースが使用可能な場合(ステップ１０２０)、第２の制御カード２９は拡張機能リソースの取得処理を実施する(ステップ１０２１)。
【００５７】
第２の制御カード２９は第２のスイッチカード２４に対して接続設定を実施し(ステップ１０２２)、第２のスイッチカード２４は設定結果を応答する（ステップ１０２３)。同様に、第２の制御カード２９は、第２の機能カード２６に対して、機能リソースの取得設定を行い(ステップ１０２４)、第２の機能カード２６は取得結果を応答し(ステップ１０２５)、拡張リソース取得が完了する(ステップ１０２７)。
【００５８】
第２の制御カード２９は、第２のリソース拡張機能カード２５に対して、拡張機能リソースの取得応答を行い(ステップ１０２８)、第２のリソース拡張機能カード２５は、ネットワーク３を介して、第１の通信装置１の第１のリソース拡張機能カード１５に対して、拡張機能リソースの取得結果を応答する(ステップ１０２９)。
【００５９】
図３に戻って、第１の通信装置１の第１のリソース拡張機能カード１５は、第１の制御カード１９に拡張機能リソースの取得結果を応答し(ステップ１０３０)、リソース取得が完了する(ステップ１０３１)。
【００６０】
次に回線や呼の解放動作について、図５では主に第１の通信装置１内部の動作を、図６では主に第２の通信装置２内部の動作を説明する。
【００６１】
図５において、第１の通信装置１にリソース解放要因が発生したとする(ステップ１０３２)。この場合、第１の制御カード１９は第１のインタフェースカード１１に対して回線リソースの解放設定を行い(ステップ１０３３)、第１のインタフェースカード１１は回線リソースの解放結果を応答する(ステップ１０３４)。同様に、第１の制御カード１９は第１のスイッチカード１４に対して前述した回線リソースと後で解放する機能リソースとの接続を解除する設定を行い(ステップ１０３５)、第１のスイッチカード１４は接続解除の結果を応答する(ステップ１０３６)。
【００６２】
次に、第１の制御カード１９は、解放する機能リソースが第１の通信装置１内部に有する機能リソースを取得したものか、拡張機能リソースとして第２の通信装置２にて取得したものかを確認する(ステップ１０３７)。解放する機能リソースが第１の通信装置１内部に有する機能リソースである場合(ステップ１０３８)、第１の制御カード１９はリソース解放処理を行う(ステップ１０３９)。第１の制御カード１９は、第１の機能カード１６に対して、機能リソースの解放設定を行い(ステップ１０４０)、第１の機能カード１６は解放結果を応答し(ステップ１０４１)、リソース解放が完了する(ステップ１０５８)。
【００６３】
ステップ１０３７にて解放する機能リソースが第２の通信装置２内部に有する拡張機能リソースであった場合(ステップ１０４２)、第１の制御カード１９は第１の拡張機能リソースの解放処理を実施する(ステップ１０４３)。第１の制御カード１９は第１のリソース拡張機能カード１５に対して拡張機能リソースの解放設定を行い(ステップ１０４４)、第１のリソース拡張機能カード１５は、ネットワーク３を介して、外部の第２の通信装置２が具備する第２のリソース拡張機能カード２５に対して、拡張機能リソースの解放処理を行う(ステップ１０４６)。
【００６４】
図６に移って、第２の通信装置２内部の第２のリソース拡張機能カード２５にて拡張機能リソースの解放処理の受付処理を行い(ステップ１０４７)、第２のリソース拡張機能カード２５は、第２の制御カード２９に対して、拡張機能リソースの解放要求を行う(ステップ１０４８)。第２の制御カード２９では拡張リソースの解放処理を実施する(ステップ１０４９)。第２の制御カード２９は第２のスイッチカード２４に対して解放設定を実施し(ステップ１０５０)、第２のスイッチカード２４は解放結果を応答する(ステップ１０５１)。同様に、第２の制御カード２９は、第２の機能カード２６に対して、機能リソースの解放設定を行い(ステップ１０５２)、第２の機能カード２６は解放結果を応答し(ステップ１０５３)、拡張機能リソースの解放が完了する(ステップ１０５４)。第２の制御カード２９は、第２のリソース拡張機能カード２５に対して拡張機能リソースの解放の応答を行い(ステップ１０５５)、第２のリソース拡張機能カード２５は、ネットワーク３を介して、第１の通信装置１の第１のリソース拡張機能カード１５に対して、拡張機能リソースの解放結果を応答する(ステップ１０５６)。
【００６５】
図５に戻って、第１の通信装置１の第１のリソース拡張機能カード１５は、第１の制御カード１９に拡張機能リソースの解放結果を応答し(ステップ１０５７)、リソースの解放が完了する(ステップ１０５８)。
【００６６】
以上説明したように、本発明の第１の実施例においては、以下に記載するような効果を奏する。
【００６７】
第１の効果は、リソース拡張機能カードを搭載することで、通信装置内で使用できる機能リソースが枯渇した場合にも、他の通信装置の機能リソースを使用できるので、機能カードを増やすことなく一つの通信装置内で使用できる機能リソース数を拡張できることである。
【００６８】
第２の効果は、ネットワーク全体の機能リソースを増やすことなく、リソース拡張機能カードを用いて機能リソースを拡張しているので、ネットワーク全体としては機能リソースの有効活用ができることである。
【実施例２】
【００６９】
本発明の第２の実施例は、その基本的構成は上記の通りであるが、リソース拡張機能カードについては、その機能をソフトウェアで実現している。これにより、独立したカードの構成ではなく、ソフトウェアをインタフェースカード、機能カード、制御カードに搭載し、外部の通信装置との接続を既存のインタフェースカードを用いる構成にすることも可能である。
【００７０】
以上、実施形態を参照して本発明を説明したが、本発明は上記実施形態に限定されるものではない。本発明の構成や詳細には、本発明のスコープ内で当業者が理解し得る様々な変更をすることができる。
【符号の説明】
【００７１】
１  ・・・  通信装置
１１〜１３  ・・・  インタフェースカード
１４  ・・・  スイッチカード
１５  ・・・  リソース拡張機能カード
１６〜１８  ・・・  機能カード
１９  ・・・  制御カード
２  ・・・  通信装置
２１〜２３  ・・・  インタフェースカード
２４  ・・・  スイッチカード
２５  ・・・  リソース拡張機能カード
２６〜２８  ・・・  機能カード
２９  ・・・  制御カード
３  ・・・  ネットワーク
【図１】
2012142705.tif 000003
【図２】
2012142705.tif 000004
【図３】
2012142705.tif 000005
【図４】
2012142705.tif 000006
【図５】
2012142705.tif 000007
【図６】
2012142705.tif 000008
【図７】
2012142705.tif 000009